(57)【要約】【課題】蔓植物を積極的に下方に案内することにより、電柱の支線などに蔓植物が巻き付いて上昇することをより確実に少なくして、蔓植物が原因となる短絡事故や保守作業の妨げを抑制することのできる蔓植物巻上防止器具を提供すること。【解決手段】地面から上方に延在する姿勢の電柱の支線Ｓに設置して蔓植物Ｐの巻き上がりを防止する蔓植物巻上防止器具１０であって、蔓植物巻上防止器具１００の周囲に対面する側壁面部１２を有するとともに該側壁面部の上部から内方に延在して閉止する天井面部１３を有する筒形状に形成されている本体部を備えており、該本体部には、側壁面部と天井面部の境界となる周縁付近に外光を内部に導く覗き孔２１が開口しているとともに、該覗き孔の近傍には当該本体部の外面から外方に延在して自重で撓むことにより下方に向けて湾曲する棒状部材２１が固設されている。【選択図】図３
2011177102.tif 000002
【特許請求の範囲】
【請求項１】
地面から上方に延在する姿勢の立部材に設置して蔓植物の巻き上がりを防止する蔓植物巻上防止器具であって、
前記立部材の周囲に対面する側壁面を有するとともに該側壁面の上部から内方に延在して閉止する天井面を有する筒形状に形成されている本体部を備えており、
該本体部には、前記側壁面と前記天井面の境界となる周縁付近に外光を内部に導く覗き孔が開口しているとともに、該覗き孔の近傍には当該本体部の外面から外方に延在して下方に向けて湾曲する棒状部材が固設されていることを特徴とする蔓植物巻上防止器具。
【請求項２】
前記棒状部材は、棒状の弾性材料により作製されて、自重により下方に撓んで湾曲することを特徴とする請求項１に記載の蔓植物巻上防止器具。
【請求項３】
前記本体部は、断面円形の前記立部材を設置対象として、前記天井面の中心から外方に延在して前記側壁面の縦方向に連続するスリットが形成されることにより、当該スリットの隣接部位を重ねて前記立部材の外径に応じて前記天井面および前記側壁面の直径を縮径する構造に形成されていることを特徴とする請求項１または２に記載の蔓植物巻上防止器具。
【発明の詳細な説明】
【技術分野】
【０００１】
本発明は、蔓植物巻上防止器具に関し、詳しくは、電柱などに蔓植物が巻き付くことを未然に防止するためのものに関する。
【背景技術】
【０００２】
従来、電柱が電線の張力で倒れないように設置する支線やその電柱自体にも蔓植物が巻き付いて短絡事故の原因になったり、保守作業の妨げになる場合があることから、蔓植物巻上防止器具を取り付けることが行われている。
【０００３】
この種の蔓植物巻上防止器具には、例えば、電柱の支線に取り付けるタイプとしては、円筒形状に形成することにより、その支線に蔓植物が巻き付き難くするもの（例えば、特許文献１、２）や、または、円盤形状に形成することにより、その上方に蔓植物が超えてしまうことを制限するもの（例えば、特許文献３）が提案されている。さらに、円筒形状の蔓植物巻上防止器具の外面に追加して、あるいは、電柱自体の外面に取り付け可能な構造の円盤形状に形成したものも提案されている（例えば、特許文献４）。
【先行技術文献】
【特許文献】
【０００４】
【特許文献１】特開２００３−４７３８７号公報
【特許文献２】特開平１１−９５号公報
【特許文献３】特開２００３−３１４０８４号公報
【特許文献４】特開２００９−９１７１６号公報
【発明の概要】
【発明が解決しようとする課題】
【０００５】
しかしながら、このような上記文献に記載の蔓植物巻上防止器具にあっても、蔓植物が巻き上がることを少なくして電線付近や作業場などまで伸びる速度を多少遅くすることができる程度でしかなく、蔓植物が巻き上がることを根本的に抑制することまではできていない。
【０００６】
そこで、本発明は、蔓植物を積極的に下方に案内することにより、電柱の支線などに蔓植物が巻き付いて上昇することをより確実に少なくして、蔓植物が原因となる短絡事故や保守作業の妨げを抑制することのできる蔓植物巻上防止器具を提供することを目的としている。
【課題を解決するための手段】
【０００７】
上記課題を解決する蔓植物巻上防止器具の発明は、地面から上方に延在する姿勢の立部材に設置して蔓植物の巻き上がりを防止する蔓植物巻上防止器具であって、前記立部材の周囲に対面する側壁面を有するとともに該側壁面の上部から内方に延在して閉止する天井面を有する筒形状に形成されている本体部を備えており、該本体部には、前記側壁面と前記天井面の境界となる周縁付近に外光を内部に導く覗き孔が開口しているとともに、該覗き孔の近傍には当該本体部の外面から外方に延在して下方に向けて湾曲する棒状部材が固設されていることを特徴とするものである。
【０００８】
この発明では、蔓植物が巻き付く立部材の周囲を側壁面で覆う筒形状の本体部内にその蔓植物が進入して天井面に突き当たることによりそのまま巻き上がることを制限することができ、その蔓植物は、側壁面と天井面の境界の周縁付近に開口する覗き孔から外光が本体部の内部に入光するので、その覗き孔から外部に向かって伸びて近傍の棒状部材に巻き付く。この棒状部材は、下方に向かう方向に湾曲しているので、巻き付く蔓植物を地面側に案内することができる。したがって、蔓植物を積極的に下方に伸びるように案内することができ、電柱の支線などに巻き付いて上昇することをより確実に少なくすることができる。
【発明の効果】
【０００９】
このように本発明によれば、蔓植物を筒形状の本体部内に案内してそれ以上上に向かって伸びることを制限することができとともに、その内部に進入した蔓植物を積極的に覗き孔から外部に案内して棒状部材に巻き付けさせて下方に垂らす状態にすることができ、巻き付く蔓植物を地面側に向かわせることができる。したがって、蔓植物が電柱の支線などに巻き付いて上昇することをより確実に少なくすることができ、蔓植物による短絡事故や保守作業の妨げを効果的に少なくすることができる。
【図面の簡単な説明】
【００１０】
【図１】本発明に係る蔓植物巻上防止器具の一実施形態を示す図であり、その全体構成を示す斜視図である。
【図２】その縦断面図である。
【図３】その使用時の設置状態を示す立面図である。
【発明を実施するための形態】
【００１１】
本発明の実施形態としては、上記の課題解決手段のように、地面から上方に延在する姿勢の立部材に設置して蔓植物の巻き上がりを防止する蔓植物巻上防止器具であって、前記立部材の周囲に対面する側壁面を有するとともに該側壁面の上部から内方に延在して閉止する天井面を有する筒形状に形成されている本体部を備えており、該本体部には、前記側壁面と前記天井面の境界となる周縁付近に外光を内部に導く覗き孔が開口しているとともに、該覗き孔の近傍には当該本体部の外面から外方に延在して下方に向けて湾曲する棒状部材が固設されていることを基本構成とするのに加えて、次の構成を備えてもよい。
【００１２】
第１の形態としては、前記棒状部材は、棒状の弾性材料により作製されて、自重により下方に撓んで湾曲するように構成してもよい。
【００１３】
この構成では、棒状部材は、可撓性を有するので、自重と蔓植物の重量により先端側を下方に向かう姿勢に撓んで、巻き付く蔓植物を地面側に案内することができ、確実に蔓植物を下方に伸びるように案内することができる。
【００１４】
第２の形態としては、前記側壁面の内面側に蔓植物が絡み付き易い線状部材、例えば、網状部材を設置してもよい。
【００１５】
この構成では、側壁面内に進入する蔓植物は、容易に線状部材に絡み付いて伸びることができ、内部に積極的に案内して覗き孔からの外光に向かわせ棒状部材に巻き付けさせることができる。
【００１６】
第３の形態としては、前記本体部は、断面円形の前記立部材を設置対象として、前記天井面の中心から外方に延在して前記側壁面の縦方向に連続するスリットが形成されることにより、当該スリットの隣接部位を重ねて前記立部材の外径に応じて前記天井面および前記側壁面の直径を縮径する構造に形成してもよい。
【００１７】
この構成では、外径が異なる設置対象でも取り付けることを実現しつつ、天井面と設置対象の外面との間に隙間を形成しないように取り付けることができ、その隙間から蔓植物が外部に逃げて棒状部材に巻き付かないまま伸びてしまうことを回避することができる。
【００１８】
以下、図面を参照して、本発明の実施形態について詳細に説明する。図１〜図３は本発明に係る蔓植物巻上防止器具の一実施形態を示す図である。
【００１９】
図１および図２において、蔓植物巻上防止器具１０は、地面から上方に延在する姿勢に立設されているために、その地面に自生する蔓植物が成長して巻き付くことのできる立部材、例えば、不図示の電柱のバランスを取るための支線Ｓ（図３を参照）に設置する、例えば、上記の特許文献１や特許文献２に記載の蔓植物巻上防止器具や電柱自体を設置対象物１００として、その外面に取り付けることができるように設計されており、外径が太いのにも拘わらず、その蔓植物Ｐが巻き付いて上がっていこうとするのを制限するように設計されている。
【００２０】
蔓植物巻上防止器具１０は、設置対象物１００の断面円形の外面１００ａに密着する取付部１１と、設置対象物１００の外面１００ａに対面する側壁面部１２と、この側壁面部１２上部の周縁部から内方に延在して取付部１１までの上部側空間を閉止する天井面部１３と、を備える概略円筒形状に本体部分が形成されている。
【００２１】
この蔓植物巻上防止器具１０は、取付部１１、側壁面部１２および天井面部１３に、設置対象物１００の軸方向と平行方向に延在して周方向に分割するスリット１４を形成することにより、これら各部の直径を縮径または拡径して隣接部位１１ａ、１２ａ、１３ａの重ねる面積を調整可能になっており、取付部１１の一方の隣接部位１１ａの端部に雄ネジ１５が立設される一方、他方の隣接部位１１ａにはその雄ネジ１５の外径よりも幅広に開口して周方向に延在するスライド穴１６が形成されている。
【００２２】
これにより、蔓植物巻上防止器具１０は、スリット１４を広げて設置対象物１００を内部に収納する状態にした後に、その外径に合わせて隣接部位１１ａ、１２ａ、１３ａを重ねる状態にするとともに取付部１１の雄ネジ１５をスライド穴１６内に差し込んでその雄ネジ１５にナット１７を螺合させることで設置対象物１００の外面を締め付ける状態にして取り付けるようになっている。なお、図中の１８は、ワッシャである。
【００２３】
また、蔓植物巻上防止器具１０は、天井面部１３との境界付近の側壁面部１２上部側の周縁部近傍の複数個所に、外部の光を内部に導光可能に開口する覗き孔２１が形成されているとともに、その覗き孔２１の上側には側壁面部１２の外面から外方に突出して延在する弾性材料よりなる棒状部材２２が固設されている。棒状部材２２は、基端側に小径の円盤２３が形成されており、側壁面部１２の覗き孔２１の上部に穿孔形成されている差込孔１２ｈ内に先端側から差し込んで円盤２３を側壁面部１２の内面１２ｂに接着されて固定されている。
【００２４】
これにより、蔓植物巻上防止器具１０は、側壁面部１２の上部外面には、覗き孔２１の上側の近接位置から外方に向かうとともに、自重により撓んで下方に向けて湾曲する複数本の棒状部材２２が取り付けられている。
【００２５】
さらに、蔓植物巻上防止器具１０は、覗き孔２１の配設位置よりも下側の内部に、目の粗い網部材３１が設けられており、この網部材３１は、側壁面部１２の内面１２ｂとの間に蔓植物Ｐが進入するために必要十分な隙間を確保する状態に取り付けられている。
【００２６】
したがって、蔓植物巻上防止器具１０は、図３に示すように、例えば、電柱の支線Ｓに設置されている蔓植物巻上防止器具１００の外面に取り付ける場合には、蔓植物Ｐが進入する隙間がないように取付部１１で締め付ける状態に取り付けることができる。この状態で、地面からその支線Ｓに巻き付く蔓植物Ｐが蔓植物巻上防止器具１００の外面に乗る状態になってしまって巻き上がる場合には、蔓植物巻上防止器具１０の外側に出て伸びてしまうことなく、その蔓植物Ｐが側壁面部１２の内部にそのまま入って網部材３１に容易に絡み付かせることで天井面部１３に突き当たるまで進入させることができ、その天井面部１３の近傍に開口する覗き孔２１から入光する外光に蔓植物Ｐが向かうように案内してその覗き孔２１から外部に導くことができる。その覗き孔２１から外部に出てきた蔓植物Ｐは、近接位置の棒状部材２２に巻き付くが、この棒状部材２２は自重で撓むと共にその蔓植物Ｐの重量も加わってより確実に下方に向く姿勢に湾曲することになり、その巻き付く蔓植物Ｐを地面に向かうように垂らした状態にすることができる。
【００２７】
このように本実施形態においては、蔓植物Ｐを内部にスムーズに案内して、外側で成長して上昇してしまうことを制限することができとともに、その内部に進入した蔓植物Ｐを覗き孔２１から積極的に外部に案内して棒状部材２２に巻き付けさせて下方に垂らすことができる。したがって、電柱の支線Ｓなどに巻き付く蔓植物Ｐが上に向かって無制限に伸びていってしまうことを確実に少なくして地面側に向かわせることができ、蔓植物Ｐによる短絡事故や保守作業の妨げを効果的に少なくすることができる。
【００２８】
本実施形態の他の態様としては、図示することは省略するが、棒状部材２２は弾性材料により撓ませるのではなく、硬質材料により作製してもよく、この場合には、当初より下方に向かう姿勢になるように湾曲させておけばよい。
【００２９】
また、蔓植物巻上防止器具１００や電柱自体のように太目の設置対象物１００に限らず、例えば、電柱の支線Ｓのように蔓植物Ｐの巻き付き易い線状材料に直接取り付けることできる取付構造にしてもよいことは言うまでもない。
【産業上の利用可能性】
【００３０】
これまで本発明の一実施形態について説明したが、本発明は上述の実施形態に限定されず、その技術的思想の範囲内において種々異なる形態にて実施されてよいことは言うまでもない。
【符号の説明】
【００３１】
１０……蔓植物巻上防止器具      １１……取付部      １２……側壁面部      １３……天井面部      １４……スリット      １５……雄ネジ      １６……スライド穴      １７……ナット      ２１……覗き孔      ２２……棒状部材      ３１……網部材      １００……設置対象物      １００ａ……外面      Ｐ……蔓植物      Ｓ……支線
【図１】
2011177102.tif 000003
【図２】
2011177102.tif 000004
【図３】
2011177102.tif 000005